(57)【要約】【課題】▲１▼　カテーテルを必要以上に締め付けない、▲２▼　カテーテルを確実に固定する、▲３▼　ＡＢ両部材の締め付けが緩みにくい、▲４▼　万一緩んでも容易に判明する、コネクタを開発することを課題とする。【解決手段】ＡＢ両部材（２、３）の相対する内端面（１４、１５）の外形を非円形のほぼ同一形状とすると共に、該内端面（１４、１５）に相互に凹凸係合しあう係合部（１７）を設け、ＡＢ両部材（２、３）を螺合して両部材の内端面（１４、１５）の外形が一致したときに前記係合部（１７）が相互に係合するようにする。係合部が係合すると、それ以上ねじ込むことに抵抗を生じると共に、緩みにくく、両部材の内端面の外形が一致しているために目でも容易に確認でき、万一締め付けが緩んでも容易に判明する。したがって、係合部が相互に係合したときに、パッキンが適度に押圧圧縮されてカテーテルを適性に固定するようにしておけば、前記▲１▼〜▲４▼の課題を達成することができる。【選択図】　　　図１
2004129741.tif 000002
【特許請求の範囲】
【請求項１】
カテーテル（２０）を挿通する貫通孔（４）とこれに連通する薬液注入部（９）を有し、相互に螺合する螺条（５、８）を有するＡ部材（２）とＢ部材（３）とに分割され、前記貫通孔（４）のカテーテル挿入口と前記薬液注入部（９）はそれぞれＡ又はＢの別々の部材にあって、Ａ又はＢのいずれかの部材にカテーテル（２０）を挿通する貫通孔（１１）を有するパッキン（７）を装着し、前記貫通孔（４）のカテーテル挿入口から前記パッキン（７）の貫通孔（１１）にカテーテル（２０）を挿入後、前記Ａ部材（２）とＢ部材（３）とを螺合して該ＡＢ両部材（２、３）で前記パッキン（７）を押圧圧縮することでカテーテル（２０）を固定し、前記薬液注入部（９）に注射器などを接続してカテーテルに薬液を供給するカテーテルのコネクタにおいて、
前記ＡＢ両部材（２、３）の相対する内端面（１４、１５）の外形を非円形のほぼ同一形状とすると共に、該内端面（１４、１５）に相互に凹凸係合しあう係合部（１７）を設け、ＡＢ両部材（２、３）を螺合して両部材の内端面（１４、１５）の外形が一致したときに前記係合部（１７）が相互に係合することを特徴とするカテーテルのコネクタ
【請求項２】
請求項１のコネクタにおいて、前記係合部（１７）が相互に係合したときに、前記パッキン（７）が適度に押圧圧縮されてカテーテルを適性に固定することを特徴とするカテーテルのコネクタ
【請求項３】
カテーテル（２０）を挿通する貫通孔（４）とこれに連通する薬液注入部（９）を有し、相互に螺合する螺条（５、８）を有するＡ部材（２）とＢ部材（３）とに分割され、前記貫通孔（４）のカテーテル挿入口と前記薬液注入部（９）はそれぞれＡ又はＢの別々の部材にあって、Ａ又はＢのいずれかの部材にカテーテル（２０）を挿通する貫通孔（１１）を有するパッキン（７）を装着し、前記貫通孔（４）のカテーテル挿入口から前記パッキン（７）の貫通孔（１１）にカテーテル（２０）を挿入後、前記Ａ部材（２）とＢ部材（３）とを螺合して該ＡＢ両部材（２、３）で前記パッキン（７）を押圧圧縮することでカテーテル（２０）を固定し、前記薬液注入部（９）に注射器などを接続してカテーテルに薬液を供給するカテーテルのコネクタにおいて、
前記パッキン（７）が概略円筒形をなし、その両端面の中央部から小径の円筒状の突出部（１２、１３）が突出形成され、前記貫通孔が一方の突出部から反対側の突出部まで中心を貫いて形成されていることを特徴とするカテーテルのコネクタ
【請求項４】
請求項１又は２のコネクタにおいて、前記Ａ又はＢ部材（２、３）に請求項３のパッキン（７）が装着されていることを特徴とするカテーテルのコネクタ
【発明の詳細な説明】
【０００１】
【発明の属する技術分野】
本発明は、硬膜外麻酔用留置カテーテルなどに使用するコネクタに関する。
【０００２】
【従来の技術】
硬膜外麻酔の場合、抵抗消失法や懸滴法などを用いて穿刺した硬膜外針からカテーテルを硬膜外腔に挿入する。カテーテルの後端にはコネクタを接続し、コネクタにさらに注射器などの器具を接続して薬液を硬膜外腔に注入する。薬液は適時に注入されるが、注入を行わないときはコネクタをテープで皮膚に固定しておく。
【０００３】
図５〜８は株式会社ユニシス製の従来のコネクタ２１に関し、図５はコネクタ２１の断面図、図６はパッキン２７の断面図、図７はＡ部材２２を内端側から見た図、図８はＢ部材２３を内端側から見た図である。
【０００４】
コネクタ２１はＡ部材２２とＢ部材２３からなる。Ａ部材２２はプラスチックで概略砲弾形に形成され、中央にカテーテル２０を挿通する貫通孔２４を有し、内部にゴムなどの弾性体でなるパッキン２７が装着され、その後ろ側はＢ部材２３を装着するための空所である装着部２６が形成され、その内周面には螺条２５（雌ねじ）が形成されている。貫通孔２４の先端はカテーテルを挿入するための挿入口２４ａとしてＡ部材２２の線端面に開口している。Ｂ部材２３はプラスチックで概略筒状に形成され、中央にカテーテル２０を挿通する貫通孔２４を有し、内端部外周にはＡ部材２２の装着部２６に装着するための螺条２８（雄ねじ）が形成されている。貫通孔２４の後端側は狭窄部３０となっており、その後側は薬液注入部２９となっている。薬液注入部２９は着脱自在のキャップ（図示せず）で閉塞することができる。また、Ｂ部材２３の外周面には４枚の羽根３１が形成され、Ｂ部材をＡ部材に螺合しやすくなっている。図５に示すように、Ｂ部材はＡ部材の内端面に開口している前記装着部２６に内端部をねじ込むことでＡ部材と結合する。図６に示すように、パッキン２７は円筒状をなし、その先端側はテーパ状にやや尖った形状で、全長に亘って中央に貫通孔３２が設けられている。カテーテルは図６の矢印方向から挿通される。
【０００５】
Ａ部材２２とＢ部材２３とを緩く螺合した状態（パッキン２７が圧縮されていない状態）で、カテーテル２０をＡ部材の挿入口２４ａから貫通孔２４に、さらにパッキン２７の貫通孔３２に挿通する。カテーテルの先端は狭窄部３０に至るとそれ以上前進できなくなる。次に、Ｂ部材をＡ部材に対して回転させてねじ込むと、パッキン２７はＡ部材とＢ部材とに押圧圧縮され、貫通孔３２の径が収縮してカテーテルを固定する。そして、薬液注入部２９に注射器などの器具を接続して薬液をカテーテル２０に注入する。薬液は適時に注入されるが、注入を行わないときはコネクタ２１をテープで皮膚に固定しておく。
【０００６】
【発明が解決しようとする課題】
従来のコネクタは、ＡＢ両部材とも内端側の外形が円形であるので、螺合した両部材の締め付け具合が分かりにくかった。すなわち、締め付けすぎるとカテーテルが潰れて薬液の注入に支障を来し、締め付けが不足するとカテーテルの固定が不十分でカテーテルが脱落する事故が生じる。また、適正に締め付けることができても、施術中にＡＢ両部材の締め付けが緩んでカテーテルが脱落する可能性があり、締め付けが緩んだことを発見しずらいという問題があった。本発明はこれらの問題点を解決するためになされたものである。すなわち本発明の課題は、▲１▼　カテーテルを必要以上に締め付けない、▲２▼　カテーテルを確実に固定する、▲３▼　ＡＢ両部材の締め付けが緩みにくい、▲４▼　万一緩んでも容易に判明する、コネクタを開発することである。
【０００７】
【課題を解決するための手段】
本発明は、カテーテル（２０）を挿通する貫通孔（４）とこれに連通する薬液注入部（９）を有し、相互に螺合する螺条（５、８）を有するＡ部材（２）とＢ部材（３）とに分割され、前記貫通孔（４）のカテーテル挿入口と前記薬液注入部（９）はそれぞれＡ又はＢの別々の部材にあって、Ａ又はＢのいずれかの部材にカテーテル（２０）を挿通する貫通孔（１１）を有するパッキン（７）を装着し、前記貫通孔（４）のカテーテル挿入口から前記パッキン（７）の貫通孔（１１）にカテーテル（２０）を挿入後、前記Ａ部材（２）とＢ部材（３）とを螺合して該ＡＢ両部材（２、３）で前記パッキン（７）を押圧圧縮することでカテーテル（２０）を固定し、前記薬液注入部（９）に注射器などを接続してカテーテルに薬液を供給するカテーテルのコネクタにおいて、
前記ＡＢ両部材（２、３）の相対する内端面（１４、１５）の外形を非円形のほぼ同一形状とすると共に、該内端面（１４、１５）に相互に凹凸係合しあう係合部（１７）を設け、ＡＢ両部材（２、３）を螺合して両部材の内端面（１４、１５）の外形が一致したときに前記係合部（１７）が相互に係合することを特徴とするカテーテルのコネクタである。
【０００８】
本発明のコネクタは上記の構成であるので、Ａ部材にＢ部材をねじ込んで両部材の内端面の外形が一致したときに係合部が相互に係合し、それ以上ねじ込むことに抵抗を生じると共に、緩みにくく、両部材の内端面の外形が一致しているために目でも容易に確認でき、万一締め付けが緩んでも容易に判明する。したがって、係合部が相互に係合したときに、パッキンが適度に押圧圧縮されてカテーテルを適性に固定するようにしておけば、前記▲１▼〜▲４▼の課題を達成することができる。
【０００９】
パッキンの形状は、概略円筒形とし、その両端面の中央部から本体よりも小径の円筒状の突出部を突出形成した形状とすることができる。この場合、貫通孔は一方の突出部から反対側の突出部まで中心を貫いて形成される。これによって、パッキンを押圧圧縮した場合、貫通孔が収縮してカテーテルを締め付ける圧力がパッキン全長に亘って均一化し、カテーテルが潰れにくく、かつ、確実に固定できるようになる。
【００１０】
【発明の実施の形態】
以下、実施例を表した図面に基づいて本発明を詳細に説明する。図１は実施例のコネクタ１の断面図、図２はパッキン７の断面図、図３はＢ部材３を内端側から見た図、図４はＡ部材２を内端側から見た図である。
【００１１】
コネクタ１はＡ部材２とＢ部材３からなる。ＡＢ両部材はプラスチック製で断面が扁平な楕円状に形成され、図３、４に示すように、それぞれの内端面１４、１５の外形は同一形状（扁平な楕円形）となっている。Ａ部材２は、中央に竿状部６がその回りをくりぬくことで形成され、その中央にはカテーテル２０を挿通する貫通孔４が形成されている。竿状部６の外周には螺条５が形成されている。Ａ部材２の内端面１４には係合部１７を構成する凹部１７ａが設けられている。
【００１２】
Ｂ部材３は中央に円筒状の筒状部１０がその内端面１５から突出するように形成され、その内周面には螺条８が形成されている。筒状部１０にはパッキン７が装着され、その後ろ側は狭窄部１６となっている。さらにその後ろ側はパッキン７の貫通孔１１に連通する薬液注入部９となっている。薬液注入部９の後端は着脱自在のキャップ１８が設けられている。Ｂ部材３の内端面１５には係合部１７を構成する凸部１７ｂが設けられている。
【００１３】
竿状部６の螺条５と筒状部１０の螺条８を螺合することでＡ部材２にＢ部材３をねじ込み、図１に示すように、ＡＢ両部材の内端面１４、１５の外形が一致すると係合部１７（凹部１７ａ、凸部１７ｂ）が凹凸係合する。このときパッキン７はＡＢ両部材によって適度に押圧圧縮される。
【００１４】
Ａ部材２とＢ部材３とを緩く螺合した状態（パッキン７が圧縮されていない状態）で、カテーテル２０をＡ部材の先端側から貫通孔４に、さらにパッキン７の貫通孔１１に挿通する。カテーテルの先端は狭窄部１６に至るとそれ以上前進できなくなる。次に、Ｂ部材をＡ部材に対して回転させて、ＡＢ両部材の内端面１４、１５の形状が一致し係合部１７（凹部１７ａ、凸部１７ｂ）が凹凸係合するまでねじ込む。このときパッキン７はＡＢ両部材によって適度に押圧圧縮されるので、カテーテル２０は潰れることなく確実にコネクタ１に固定される。係合部１７が係合しているので、ＡＢ両部材が緩みにくく、したがってカテーテルが外れることがなく、万一緩んだ場合はＡＢ両部材の内端面１４、１５の外形が一致せずにずれるため一見して容易に判明する。その上、コネクタ１は扁平な楕円状の断面を有する平たい小判形であるので、薬液の注入を行わないときはコネクタ１をテープで皮膚に容易確実に固定できる。
【００１５】
図２に示すように、ゴムなどの弾性体でなるパッキン７は円筒形の本体と、その両端面の中央部から本体よりも小径の円筒形の突出部１２、１３を同芯状に（軸芯を一致させて）突出形成した形状となっている。突出部１２、１３の突出長さはほぼ同じである。貫通孔１１は一方の突出部から反対側の突出部まで中心を貫いて形成されている。カテーテルは矢印方向から挿通される。
【００１６】
図６に示す従来のパッキン２７を押圧圧縮すると、貫通孔３２が収縮してカテーテルを締め付ける圧力（面圧）は、貫通孔３２の両端付近のきわめて狭い範囲に発生し、中央部の広い範囲にはほとんど面圧が発生しない。このように、従来の形状のパッキンの面圧分布は両端部に偏って発生するために、締め付けすぎるとパッキン端部でカテーテルが潰れやすく、また、カテーテルを潰さないように締め付けを加減すると全体としての締め付け力が小さくなってカテーテルが外れやすい、すなわち、適度な締め付けとするのが容易でない。一方、図２に示す本発明におけるパッキン７は、面圧がパッキンの長さ方向にほぼ均一に分布する。したがって、パッキンを押圧圧縮した場合に適度な締め付けの範囲が広くなり、容易に適度な締め付けとすることができるから、カテーテルが潰れにくく、かつ、確実に固定できるようになる。
【００１７】
上記の実施例は本発明の一例であって、特許請求の範囲に記載されていない事項については適宜変更することができる。例えば、コネクタの全体形状は小判形である必要はなく、円形、多角形など任意である。また、断面形状や内端面の形状は楕円形に限らず長円形、四辺形などとすることができるが、なるべく扁平な形状とするのが、締め付けの緩みを発見しやすく、またテープで皮膚に固定しやすいので好適である。パッキンはＢ部材に限らず、Ａ部材に装着することもできる。
【００１８】
【発明の効果】
本発明のコネクタは、▲１▼　カテーテルを必要以上に締め付けることがなく、▲２▼カテーテルを確実に固定でき、▲３▼　ＡＢ両部材の締め付けが緩みにくく、▲４▼　万一緩んでも容易に判明するものである。
【図面の簡単な説明】
【図１】実施例のコネクタ１の断面図である。
【図２】パッキン７の断面図である。
【図３】Ｂ部材３を内端側から見た図である。
【図４】Ａ部材２を内端側から見た図である。
【図５】従来のコネクタ２１の断面図である。
【図６】パッキン２７の断面図である。
【図７】Ａ部材２２を内端側から見た図である。
【図８】Ｂ部材２３を内端側から見た図である。
【符号の説明】
１　コネクタ
２　Ａ部材
３　Ｂ部材
４　貫通孔
５　螺条
６　竿状部
７　パッキン
８　螺条
９　薬液注入部
１０　筒状部
１１　貫通孔
１２　突出部
１３　突出部
１４　内端面
１５　内端面
１６　狭窄部
１７　係合部
１８　キャップ
２０　カテーテル
２１　コネクタ
２２　Ａ部材
２３　Ｂ部材
２４　貫通孔
２５　螺条
２６　装着部
２７　パッキン
２８　螺条
２９　薬液注入部
３０　狭窄部
３１　羽根
３２　貫通孔
【図１】
2004129741.tif 000003
【図２】
2004129741.tif 000004
【図３】
2004129741.tif 000005
【図４】
2004129741.tif 000006
【図５】
2004129741.tif 000007
【図６】
2004129741.tif 000008
【図７】
2004129741.tif 000009
【図８】
2004129741.tif 000010